(57)【要約】【課題】  付属物によって光が制御される携行可能なコネクテッドランプを提供する。【解決手段】  本発明は、パターンを投射可能な携行可能なコネクテッドランプ（３）に関する。このランプは、少なくとも１つの光ビームを送る手段（１１）及び少なくとも１つの光パターンを投射するように構成している投射手段（１２）を有し、光を送るように構成しているライティング手段（１０）と、投射されるデータを含む制御命令を無線接続を介して受信するように構成している受信手段（１３）と、及び前記投射手段が前記受信手段（１３）が受信したデータを投射するように前記投射手段を制御するように構成している制御手段（１８）とを有する。【選択図】  図４
2018092922.tif 000002
【特許請求の範囲】
【請求項１】
携行可能なコネクテッドランプ（３）であって、
少なくとも１つの光ビームを送る手段（１１）及び少なくとも１つの光パターンを投射するように構成している投射手段（１２）を有し、光を送るように構成しているライティング手段（１０）と、
投射されるデータを含む制御命令を無線接続を介して受信するように構成している受信手段（１３）と、及び
前記投射手段が前記受信手段（１３）が受信したデータを投射するように前記投射手段を制御するように構成している制御手段（１８）とを有し、
当該ランプは、ヘッドランプである
ことを特徴とするランプ。
【請求項２】
前記投射手段（１２）は、レーザー走査プロジェクターを有する
ことを特徴とする請求項１に記載のランプ。
【請求項３】
前記レーザー走査プロジェクターは、緑、赤及び青色のレーザービームを送る３つの基礎的なレーザーを有する光モジュールと、少なくとも１つの走査ミラーと、及び前記レーザーと前記走査ミラーを制御するように構成している電子モジュールとを有する
ことを特徴とする請求項２に記載のランプ。
【請求項４】
前記制御手段（１８）は、受信した制御命令に応じて前記ライティング手段が送る光の特徴を制御するように構成している
ことを特徴とする請求項１〜３のいずれかに記載のランプ。
【請求項５】
無線接続を介して当該ランプの状態に関連するパラメーターをコネクテッド物に送信するように構成している送信手段を有する
ことを特徴とする請求項１〜４のいずれかに記載のランプ。
【請求項６】
当該ランプの状態に関連するパラメーターを測定するセンサーを有する
ことを特徴とする請求項１〜５のいずれかに記載のランプ。
【請求項７】
前記制御手段は、受信した制御命令に応じて前記ライティング手段が送る光の特徴を制御することができる
ことを特徴とする請求項１〜６のいずれかに記載のランプ。
【請求項８】
投射されるデータを生成するように構成しているプロセッサーを有する
ことを特徴とする請求項１〜７のいずれかに記載のランプ。
【請求項９】
投射されるデータを格納するように構成しているメモリーを有する
ことを特徴とする請求項１〜８のいずれかに記載のランプ。
【請求項１０】
請求項１〜９のいずれかに記載のランプと、及び前記ランプを制御するように構成しているコネクテッド腕時計とを有するアセンブリーであって、
前記腕時計は、前記ランプ（３）に送信される制御命令を生成するように構成しているプロセッサー（２）と、
ユーザーインタフェースに発動シーケンスを入力することによって前記プロセッサーによって生成された制御命令をユーザーが制御することができるように構成しているユーザーインタフェース（４）と、及び
無線接続を介して前記ランプへと制御命令を送信するように構成している送信手段（７）とを有する
ことを特徴とするアセンブリー。
【請求項１１】
光を送るように構成しているライティング手段（１０）を有する携行可能なコネクテッドランプ（３）を制御する方法であって、
前記ライティング手段（１０）は、少なくとも１つの光ビームを送る手段と、及び少なくとも１つの光パターンを投射するように構成している投射手段とを有し、
当該方法は、
前記ランプと前記コネクテッド物の間に無線接続を確立するステップと、
投射されるデータを含み前記無線接続を介して前記コネクテッド物によって送信される制御命令を前記ランプによって受信するステップと、
投射すべきデータを投射するように前記投射手段（１２）を制御するステップと
を有することを特徴とする方法。
【請求項１２】
前記制御命令には、投射されるパターンの特徴に関連する命令を含み、
当該方法は、投射されるパターンが制御命令に応じた特徴を示すように前記投射手段（１２）を制御するステップを有する
ことを特徴とする請求項１１に記載の方法。
【請求項１３】
前記制御命令には、光ビームの特徴に関連する命令を含み、
当該方法は、前記少なくとも１つの光ビームが前記制御命令に応じた特徴を示すように前記少なくとも１つの光ビームの発光手段を制御するステップを有する
ことを特徴とする請求項１１又は１２に記載の方法。
【発明の詳細な説明】
【技術分野】
【０００１】
本発明は、コネクテッドランプないしスマートランプ、及びコネクテッドランプを制御する方法に関する。本発明は、さらに、このようなコネクテッドランプを制御することができる腕時計に関する。
【背景技術】
【０００２】
ランナー又はサイクリストが夜移動するとき、道を照らすためにランプを用いる。それにもかかわらず、走っている道に集中しなければならない。このため、腕時計又はＧＰＳを見るためには止まらなければならない。このことは、特に、トレールやレースにおいて、制約を与えるものである。
【０００３】
また、アスリートの頭や自転車にランプを配置することが多い。このことによって、特に、速さが速く、又は凹凸がある路上において、アスリートが移動しているときに、ランプにアクセスすることは難しい。
【発明の概要】
【発明が解決しようとする課題】
【０００４】
本発明は、アスリートのための携行可能なコネクテッドランプ又はスマートランプであって、当該ランプではない付属物、特に、腕時計、によって、送られる光が制御されるものを提案することによって、最先端技術の課題を克服することを目的とする。
【０００５】
本発明は、無線接続を介してランプに接続された外部の物によって送信されたデータを投射することが可能な携行可能なアスリート用のランプを提案することを別の目的とする。
【課題を解決するための手段】
【０００６】
具体的には、本発明の第１の態様は、携行可能なコネクテッドランプに関し、これは、
−  少なくとも１つの光ビームを送る手段及び少なくとも１つの光パターンを投射するように構成している投射手段を有し、光を送るように構成しているライティング手段と、
−  投射されるデータを含む制御命令を無線接続を介して受信するように構成している受信手段と、
−  前記投射手段が前記受信手段が受信したデータを投射するように前記投射手段を制御するように構成している制御手段と
を有する。
【０００７】
このようにして、当該ランプは、投射すべきデータをコネクテッド物から受信することができる。
【０００８】
このコネクテッド物は、好ましくは、時間、日付、アスリートの速さ、アスリートの加速度、又はタイミングデータに関連するデータをランプに送ることができる腕時計である。
【０００９】
また、当該コネクテッド物は、アスリートの位置に関連するデータ、例えば、ＧＰＳデータの形態のもの、又は着信呼び又は発信呼びに関連するデータを送ることを可能にする移動体電話に接続することができる。
【００１０】
また、当該コネクテッド物は、アスリートがレース時に下を通過するアーチウェイであることができる。この場合、受信データは、レースにおけるアスリートの位置、アスリートの速さ、又はフィニッシュラインからアスリートまでの距離に関連することができる。
【００１１】
また、本発明の第１の態様に係るランプは、さらに、個別に又はすべての技術的に可能な組み合わせから選択される、以下の特徴の１つ以上を有することができる。
−  ランプは、好ましくは、ヘッドランプである。
−  ランプは、自転車用ランプであることができる。
−  ランプは、６ｃｍ未満の外側寸法を有する。
−  ランプの重量は、２００ｇ未満、好ましくは、１００ｇ未満である。
−  ランプは、好ましくは、取り付け手段を有し、この取り付け手段は、ランプをスポーツマンの頭に固定するように構成しているヘッドバンド又は自転車にランプを固定するように構成している固定具であることができる。
−  投射手段は、好ましくは、レーザー走査プロジェクターを有する。
−  レーザー走査プロジェクターは、好ましくは、緑、赤及び青色のレーザービームを送る３つの基礎的なレーザーを有する光モジュールと、少なくとも１つの走査ミラーと、及びレーザーと走査ミラーを制御するように構成している電子モジュールとを有する。
−  ランプは、無線接続を介して当該ランプの状態に関連するパラメーターをコネクテッド物に送るように構成している送信手段を有する。
−  ランプは、当該ランプの状態に関連するパラメーターを測定するセンサーを有する。
−  制御手段は、受信した制御命令に応じてライティング手段が送る光の特徴を制御することができる。
−  ランプは、さらに、投射されるデータを生成するように構成しているプロセッサーを有する。
−  ランプは、さらに、投射されるデータを格納するように構成しているメモリーを有する。
【００１２】
本発明の第２の態様は、ランプを制御するように構成しているコネクテッド腕時計に関し、この腕時計は、
−  前記ランプに送信される制御命令を生成するように構成しているプロセッサーと、
−  ユーザーインタフェースに発動シーケンスを入力することによって前記プロセッサーによって生成された制御命令をユーザーが制御することができるように構成しているユーザーインタフェースと、及び
−  無線接続を介して前記ランプへと制御命令を送るように構成している送信手段とを有する。
【００１３】
このように、当該腕時計によって、ユーザーは、自身のランプを制御するために自身の腕時計にアクセスすることしか必要としないように、ランプの機能を遠隔制御することができる。
【００１４】
本発明の第２の態様に係る腕時計は、さらに、個別に又はすべての技術的に可能な組み合わせから選択される、以下の特徴を１つ以上を有することができる。
−  プロセッサーは、腕時計が生成したパラメーターに応じてランプに送信される制御命令を生成するように構成していることができる。
−  腕時計は、ランプが送ったパラメーターを無線接続を介して受信するように構成している無線受信手段を有することができ、プロセッサーは、さらに、腕時計の無線受信手段によって受信したパラメーターに応じてランプに送信される制御命令を生成するように構成している。
−  ユーザーインタフェースは、好ましくは、少なくとも１つの押しボタンを有し、プロセッサーは、所定の発動シーケンスによる押しボタンの作動に応じて制御命令を生成するように構成している。
−  腕時計は、各発動シーケンスに関連づけられた制御命令を格納するメモリーを有する。
【００１５】
本発明の第３の態様は、本発明の第１の態様に係るランプと、及び本発明の第２の態様に係る腕時計とを有するアセンブリーに関する。
【００１６】
本発明の第４の態様は、光を送るように構成しているライティング手段を有する携行可能なコネクテッドランプを制御する方法に関し、ライティング手段は、
−  少なくとも１つの光ビームを送る手段と、及び
−  少なくとも１つの光パターンを投射するように構成している投射手段と
を有し、当該方法は、
−  ランプとコネクテッド物の間に無線接続を確立するステップと、
−  投射されるデータを含み無線接続を介してコネクテッド物によって送信される制御命令をランプによって受信するステップと、
−  投射すべきデータを投射するように投射手段を制御するステップと
を有する。
【００１７】
本発明の第４の態様に係る方法は、さらに、個別に又はすべての技術的に可能な組み合わせから選択される、以下の特徴を１つ以上を有することができる。
−  制御命令には、投射されるパターンの特徴に関連する命令を含み、当該方法は、投射されるパターンが制御命令に応じた特徴を示すように投射手段を制御するステップを有する。
−  投射されるパターンの特徴は、パターンの強度、色、寸法構成であることができる。
−  制御命令には、光ビームの特徴に関連する命令を含み、当該方法は、少なくとも１つの光ビームが制御命令に応じた特徴を示すように少なくとも１つの光ビームの発光手段を制御するステップを有する。
−  光ビームの特徴は、光ビームの強度、色又は寸法構成であることができる。
【００１８】
添付の図面を参照しながら以下の説明を読むことで（これに限定されない）、他の特徴及び利点が明確になるであろう。
【図面の簡単な説明】
【００１９】
【図１】本発明の１つの実施形態に係るコネクテッドランプを概略的に示している図である。
【図２】本発明の１つの実施形態に係るコネクテッド腕時計を概略的に示している図である。
【図３】本発明の１つの実施形態に係る制御方法のいくつかのステップを概略的に示している図である。
【図４】本発明の１つの実施形態に係る方法に応答してランプによって送られる光を概略的に表す図である。
【発明を実施するための形態】
【００２０】
図１は、本発明の１つの実施形態に係る携行可能なランプ３を概略的に示している。この携行可能なランプ３は、アスリートのためのランプであり、好ましくは、ヘッドランプ、又は自転車に固定されるように意図されたランプである。
【００２１】
携行可能なランプ３は、光を送るように構成しているライティング手段１０を有する。このライティング手段１０は、少なくとも１つの光ビームを送る手段１１を有する。この光ビームを送る手段は、例えば、一又は複数の発光ダイオードを有することができる。
【００２２】
ライティング手段１０は、さらに、少なくとも１つの光パターンを投射するように構成している投射手段１２を有する。この投射手段１２は、ヘッドアップディスプレータイプのパターンを投射するように構成している。この投射手段１２は、好ましくは、レーザー走査プロジェクターを有する。このようなレーザー走査プロジェクターは、投射距離にかかわらず良好な焦点を与えるので有利である。このレーザー走査プロジェクターは、好ましくは、以下のものを有する。
−  緑、赤及び青色のレーザービームを送る３つの基礎的なレーザーを有する光モジュールと、
−  少なくとも１つの走査ミラーと、
−  レーザーとミラーを制御するように構成している電子モジュールと
である。
【００２３】
また、携行可能なランプ３は、さらに、腕時計の通信手段と無線接続を介して通信するように構成している通信手段を有する。
【００２４】
ランプの通信手段は、腕時計によって送信された制御命令を無線接続を介して受信するように構成している受信手段１３を有する。この受信手段１３は、用いられる無線接続に依存して、Bluetooth又はBluetooth Low Energyのレシーバー、又は光学的レシーバーであることができる。
【００２５】
また、ランプの通信手段は、無線接続を介して腕時計に、パラメーター、特に、ランプの状態に関するパラメーター、を送るように構成している送信手段１４を有することができる。この送信手段１４は、用いられる無線接続に依存して、Bluetooth又はBluetooth Low Energyのトランスミッター、又は光学的トランスミッターであることができる。
【００２６】
また、ランプは、腕時計のライティング手段や通信手段にパワー供給するように構成しているセル又は電池を有する。
【００２７】
また、ランプは、以下を測定するように構成している少なくとも１つのセンサーを有することができる。すなわち、
−  電池又はセルのチャージ状態、送られる光の強さのような、ランプに関連するパラメーター、及び／又は
−  高度、温度、速さ、ＧＰＳ座標のような外部環境に関連するパラメーター
である。
【００２８】
また、ランプは、受信した制御命令に応じてライティング手段が送る光を制御するように構成している制御手段１８を有する。
【００２９】
特に、制御手段１８は、受信手段１３が受信したデータを投射するように投射手段を制御するように構成している。
【００３０】
また、制御手段１８は、受信手段が受信した命令にしたがって以下を制御するように構成している。すなわち、
−  特に、光ビームの強度、色、方向及び寸法構成である、光ビームを送る手段１１が送る光の特徴（フィーチャー）
−  特に、パターンの強度、色、方向及び寸法構成である、投射手段１２が投射するパターンの特徴
である。
【００３１】
また、ランプは、ユーザーが、ランプを点灯すること、及び／又はランプとランプの外部のコネクテッド物との間の接続を認証することを可能にするユーザーインタフェース２０であることができる。このユーザーインタフェース２０は、好ましくは、ボタンを有する。
【００３２】
また、携行可能なランプ３は、取り付け手段を有する。この実施形態において、取り付け手段は、ヘッドランプをユーザーの額に取り付けることを可能にするヘッドバンド１５を有する。
【００３３】
ランプ３によって、無線接続によって受信されランプに接続された物によって送信されるデータを投射することができる。
【００３４】
このコネクテッド物は、例えば、移動体電話であることができ、これは、アスリートの位置に関するデータ、例えば、ＧＰＳデータの形態のもの、又は着信呼び又は発信呼びに関連するデータを送ることを可能にする。
【００３５】
また、コネクテッド物は、レース時にアスリートが下を通るアーチウェイであることができる。この場合、受信データは、レースにおけるアスリートの位置、又はフィニッシュラインからアスリートまでの距離に関連することができる。
【００３６】
好ましい実施形態によると、このコネクテッド物は、時間、日付、アスリートの速さ、アスリートの加速度、又はタイミングデータに関連するランプデータを送ることができる腕時計であることができる。
【００３７】
したがって、図２は、本発明の１つの実施形態に係るコネクテッド腕時計１を示している。コネクテッド腕時計１は、携行可能なランプ３へと送信される制御命令を生成するように構成しているプロセッサー２を有する。
【００３８】
また、腕時計１は、プロセッサー２によって生成された命令をユーザーが制御することを可能にするように構成しているユーザーインタフェース４を有する。ユーザーインタフェース４は、例えば、以下の要素の１つ以上を有することができる。
−  押しボタン
−  竜頭
【００３９】
この例において、ユーザーインタフェースは、２つの押しボタン５を有する。
【００４０】
また、腕時計は、プロセッサー２からの制御命令に関連づけられたユーザーインタフェース用発動シーケンスが格納されるメモリー６を有する。
【００４１】
プロセッサー２は、ユーザーがユーザーインタフェース４に入力する発動シーケンスにしたがって、また、時間、日付、アスリートの速さ、アスリートの加速度、燃焼カロリーのような腕時計によって生成されたデータにしたがって、制御命令を生成するように構成している。
【００４２】
また、当該腕時計は、携行可能なランプ３と無線接続を介して通信するように構成している無線通信手段を有する。この無線接続は、例えば、BluetoothやBluetooth Low Energy（ＢＬＥ）の接続、光学的接続であることができる。
【００４３】
腕時計の通信手段は、無線接続を介して携行可能なランプ３へとデータ、特に、プロセッサーによって生成された制御命令、を送るように構成する送信手段７を有する。この送信手段７は、用いられる無線接続に依存して、Bluetooth又はBluetooth Low Energyのトランスミッター、又は光学的トランスミッターであることができる。
【００４４】
また、腕時計の通信手段は、ランプが送信したパラメーターを無線接続を介して受信するように構成している受信手段８を有することができる。この受信手段８は、用いる無線接続に依存して、Bluetooth又はBluetooth Low Energyのレシーバー、又は光学的レシーバーであることができる。
【００４５】
また、当該腕時計は、腕時計のプロセッサー２や通信手段にパワー供給するように構成しているセル又は電池１７を有する。
【００４６】
当該腕時計は、時間や日付のようなデータを生成することができる。また、当該腕時計は、腕時計の着用者の運動の速さ、着用者の加速度、高度、外部温度、着用者のＧＰＳ位置のような追加のデータを測定するセンサー９を有することができる。
【００４７】
以下、図３及び４を参照しながら、図２の腕時計によって図１のランプを制御する方法について説明する。
【００４８】
当該方法は、好ましくは、腕時計１にランプ３を接続する第１のステップ１０１を有する。この第１のステップの目的は、腕時計が、ランプと、腕時計とランプの間の通信とを統制することを可能にすること／不能にすることである。具体的には、当該腕時計は、無線接続を介してランプへと接続要求を送信することができる。そして、ユーザーは、ランプのユーザーインタフェース２０に作用して、ユーザーが接続を受け入れるか拒否するかを意思表明することができる。ユーザーがランプ３と腕時計１の間の接続を受け入れるようにユーザーインタフェースを作動させると、ランプと腕時計の間の無線接続が確立される。
【００４９】
そして、当該方法は、腕時計１のユーザーインタフェース４を介して発動シーケンスを受けるステップを有することができる。発動シーケンスはそれぞれ、ランプのコマンドに対応している。
【００５０】
したがって、例えば、ランプに対して以下のアクションの１つ以上を行うための発動シーケンスを腕時計メモリーにおいて格納することができる。すなわち、
−  ランプをオン又はオフにスイッチングするアクション
−  送られる光ビームの強度、色又は方向を制御するアクション
−  ランプの投射手段によって投射されるパターンを制御するアクション
である。
【００５１】
例えば、以下を投射するように選択することができる。すなわち、
−  腕時計及び／又はランプによって生成されたデータ
−  腕時計又はランプのセンサーによって測定されたデータ
−  腕時計及び／又はランプ及び／又はこれらの一又は複数のセンサーから発生するパラメーターから腕時計のプロセッサーによって計算されたデータ
−  腕時計及び／又はランプ及び／又はこれらの一又は複数のセンサーから発生するパラメーターからランプのプロセッサーによって計算されたデータ
である。
【００５２】
当該方法は、腕時計のユーザーが腕時計のユーザーインタフェースに発動シーケンスを入力した後に、腕時計プロセッサー２が、対応する制御命令を生成するステップを有する。制御命令には、投射されるデータが含まれる。
【００５３】
そして、当該方法は、腕時計の送信手段を介して制御命令を送信するステップを有する。
【００５４】
そして、当該方法は、ランプの受信手段１３を介して制御命令を受信するステップ１０２を有する。
【００５５】
当該方法は、受信した制御命令にしたがって、ランプの制御手段１８を介してランプのライティング手段１０を制御するステップ１０３を有する。
【００５６】
特に、このステップにおいて、制御手段１８は、ランプの受信手段が受信したデータを投射するように投射手段１２を制御する。
【００５７】
また、制御手段は、投射されるパターンの特徴及び／又は発された光ビームの特徴を制御することができる。
【００５８】
当該方法は、さらに、ランプ３の電池又はセルのチャージの状態をモニタリングするステップを有することができる。
【００５９】
当該方法は、ランプ３の電池又はセルのチャージがしきい値チャージ未満であるとき、例えば、ランプ３の電池又はセルのチャージがランプ３の電池又はセルの合計チャージ容量の１０％であるときに、ユーザーからチャージ節約命令を要求するステップを有することができる。この命令の要求は、直接的に行われること又は間接的に行われることができる。直接的に行われるとは、すなわち、ランプによって直接行われることであり、例えば、ランプが、フラッシュする光を送って、ユーザーがアクションをすることが必要とされていることをユーザーに伝える。間接的に行われるとは、すなわち、コネクテッド物を介して行われるような場合であり、このコネクテッド物にランプが命令の要求を無線で送信し、この命令が当該コネクテッド物を介してユーザーに送られる。
【００６０】
そして、ユーザーは、投射手段を不能にして光ビーム透過手段のみを保持するか、又は逆に、光ビーム透過手段を不能にして投射手段のみを保持する。代わりに、ユーザーは、光ビーム透過手段と投射手段の両方を維持するように選択することもできる。
【００６１】
そして、チャージ節約命令がランプの制御手段１８に送られて、この制御手段１８は、チャージ節約命令にしたがって光ビーム透過手段及び／又は投射手段に対して作用する。
【００６２】
図４を参照すると、当該方法によって、コネクテッド物によって特徴を制御することができる少なくとも１つの光ビーム２１を送ることができる。また、当該方法は、投射されるパターン２２によって、光情報を表示することができる。
【００６３】
このようにして、当該方法によって、ランプの機能をコネクテッド腕時計によって遠隔制御することができる。当該方法は、腕時計によって、ランプがどのような情報を投射するかを選択することを可能にする。このように、当該方法によって、着用者がヘッドアップディスプレーにアクセスすることができる。
【００６４】
当然、本発明は、図面を参照しながら説明した例に限定されず、本発明の範囲から逸脱せずに様々な変形態様を想到することができる。具体的には、投射される情報を送信するために腕時計以外の物を用いることができる。また、記載したパラメーター以外の異なるパラメーターを表示することを想到することができる。例えば、アスリートが燃焼するカロリー、フィニッシュラインからアスリートまでの距離、アスリートのＧＰＳ座標、テキストメッセージによって受信した家族や友人からの励ましである。
【符号の説明】
【００６５】
１  腕時計
２  プロセッサー
３  ランプ
４  ユーザーインタフェース
５  押しボタン
６  メモリー
７  送信手段
８、１３  受信手段
９  センサー
１０  ライティング手段
１１  送る手段
１２  投射手段
１５  ヘッドバンド
１７  セル又は電池
１８  制御手段
【図１】
2018092922.tif 000003
【図２】
2018092922.tif 000004
【図３】
2018092922.tif 000005
【図４】
2018092922.tif 000006